(57)【要約】【課題】親局装置間通信専用線で断線等の伝送障害が発生した場合、どこの通信線に伝送障害が発生したのかを認識できず、どこの通信線に伝送障害が発生したのかを監視制御装置にも親局装置（マスタ）から伝送障害として伝送できない。【解決手段】マスタ親局装置は、伝送障害の有無を問合せ電文としてスレーブ親局装置に伝送し、スレーブ親局装置は、マスタ親局装置からの伝送障害の有無の問合せ電文に対して、伝送障害の有無を応答電文としてマスタ親局装置に伝送すると共に、所定の時間が経過してもマスタ親局装置から伝送障害の有無の問合せ電文が伝送されてこない場合には、マスタ親局装置に伝送障害の有無の問合せ電文が伝送されていないことを問合せ電文として伝送するようにしたものである。【選択図】      図２
2007028199.tif 000002
【特許請求の範囲】
【請求項１】
子局装置を複数備えたマスタ親局装置が電話回線網を介して監視制御装置に接続され、子局装置を複数備えたスレーブ親局装置が光通信ケーブルによりマスタ親局装置に接続されて構成される情報伝送装置であって、マスタ親局装置は、伝送障害の有無を問合せ電文としてスレーブ親局装置に伝送し、スレーブ親局装置は、マスタ親局装置からの伝送障害の有無の問合せ電文に対して、伝送障害の有無を応答電文としてマスタ親局装置に伝送すると共に、所定の時間が経過してもマスタ親局装置から伝送障害の有無の問合せ電文が伝送されてこない場合には、マスタ親局装置に伝送障害の有無の問合せ電文が伝送されていないことを問合せ電文として伝送し、マスタ親局装置は、スレーブ親局装置から伝送障害の有無の応答電文が送られてこなかった場合には、マスタ親局装置とスレーブ親局装置間に伝送障害が生じたと判断すると共に、所定の時間が経過してもスレーブ親局装置から問合せ電文が伝送されなかった場合には、スレーブ親局装置からマスタ親局装置の伝送路に伝送障害が生じたと判断し、スレーブ親局装置から問合せ電文が伝送されてきた場合には、マスタ親局装置からスレーブ親局装置の伝送路に伝送障害が生じたと判断し、判断した伝送障害の情報を監視制御装置に伝送することを特徴とする情報伝送装置。
【請求項２】
請求項１記載の情報伝送装置であって、スレーブ親局装置には、複数のスレーブ親局装置が従属的に接続され、スレーブ親局装置は、マスタ親局装置からの伝送障害の有無の問合せ電文を順次下位のスレーブ親局装置に伝送すると共に、伝送障害の有無の問合せ電文に対する応答電文が下位のスレーブ親局装置から伝送されなかった場合には、下位のスレーブ親局装置との間に伝送障害が生じたと判断すると共に、所定の時間が経過しても下位のスレーブ親局装置から問合せ電文が伝送されなかった場合には、下位のスレーブ親局装置からの伝送路に伝送障害が生じたと判断し、下位のスレーブ親局装置から問合せ電文が伝送されてきた場合には、下位のスレーブ親局装置への伝送路に伝送障害が生じたと判断し、判断した伝送障害の情報を上位のスレーブ装置へ伝送することを特徴とする情報伝送装置。
【発明の詳細な説明】
【技術分野】
【０００１】
この発明は、例えば複数の親局間を伝送路を介して接続して情報の伝送を行う移動通信システムにおいて、上記親局として使用される情報伝送装置に関する。
【背景技術】
【０００２】
一般にセルラ方式の移動通信システムでは、サービスを提供するエリア内に複数の基地局を分散配置することで複数のセルを形成している。また、地下街やトンネル内等の不感エリアに対しては、小型の基地局を設けて、その小型の基地局に接続された親局または小型の基地局を内蔵した親局を介して接続された子局を設置することにより通信可能としている。上記各親局は例えば、そのうちの一つがマスタ親局（最上位の親局）と位置づけて光伝送路により相互に接続されている。また子局は近接する親局に光伝送路を介して接続されている。
【０００３】
ところで、このような移動通信システムにおいて親局や子局等の情報伝送装置のメンテナンスを行う場合には、例えばシステム管理者が各局の設置場所に出向き、メンテナンスツールを局装置に接続することにより局装置の動作チェックや各種設定を行っている。このため、システムが多数の局を備える場合や、局が遠隔地や、山間地或いはトンネル内等の難所に設置されている場合には、システム管理運営上余計な時間やコスト、労力がかかるという問題点があった。
【０００４】
そこで、各局を保守用の伝送路により接続し、この保守用伝送路を介して局間で通信を行うことで、各局の状態を遠隔監視および制御するシステムが提案されている。例えば、任意の親局装置に他の各局装置の電源の状態に連動するスイッチを設け、このスイッチの状態から他の各局の電源の状態、つまり電源がオンになっているか否かを確認できるようにしている（例えば、特許文献１を参照。）。
【０００５】
【特許文献１】特開２００２−２０９０１４
【発明の開示】
【発明が解決しようとする課題】
【０００６】
ところが、上記従来提案されている装置では、伝送路により接続されている装置の有無および電源の状態については確認できるが、例えば、マスタ親局（最上位の親局）とそれに従属して接続されている親局であるスレーブ親局間で伝送が行われる場合、その伝送路に伝送障害が生じた場合、マスタ親局からスレーブ親局への伝送路での伝送障害か、スレーブ親局からマスタ親局への伝送路での伝送障害か、という具体的な伝送障害が生じた伝送路を特定することができない。より具体的には、マスタ親局は、スレーブ親局からの伝送が無いことにより伝送障害を把握することが出来ても、例えば、スレーブ親局からマスタ親局への伝送路に伝送障害が有る場合、スレーブ親局はマスタ親局からの伝送情報を受け、マスタ親局に伝送情報を送り返している場合には、スレーブ親局は、伝送障害が起きていることを把握することが出来なくなる。
【課題を解決するための手段】
【０００７】
上記課題を解決するためにこの発明は、子局装置を複数備えたマスタ親局装置が電話回線網を介して監視制御装置に接続され、子局装置を複数備えたスレーブ親局装置が光通信ケーブルによりマスタ親局装置に接続されて構成される情報伝送装置であって、マスタ親局装置は、伝送障害の有無を問合せ電文としてスレーブ親局装置に伝送し、スレーブ親局装置は、マスタ親局装置からの伝送障害の有無の問合せ電文に対して、伝送障害の有無を応答電文としてマスタ親局装置に伝送すると共に、所定の時間が経過してもマスタ親局装置から伝送障害の有無の問合せ電文が伝送されてこない場合には、マスタ親局装置に伝送障害の有無の問合せ電文が伝送されていないことを問合せ電文として伝送し、マスタ親局装置は、スレーブ親局装置から伝送障害の有無の応答電文が送られてこなかった場合には、マスタ親局装置とスレーブ親局装置間に伝送障害が生じたと判断すると共に、所定の時間が経過してもスレーブ親局装置から問合せ電文が伝送されなかった場合には、スレーブ親局装置からマスタ親局装置の伝送路に伝送障害が生じたと判断し、スレーブ親局装置から問合せ電文が伝送されてきた場合には、マスタ親局装置からスレーブ親局装置の伝送路に伝送障害が生じたと判断し、判断した伝送障害の情報を監視制御装置に伝送するようにしたものである。
【０００８】
また、上記課題を解決するためにこの発明は、上記の情報伝送装置であって、スレーブ親局装置には、複数のスレーブ親局装置が従属的に接続され、スレーブ親局装置は、マスタ親局装置からの伝送障害の有無の問合せ電文を順次下位のスレーブ親局装置に伝送すると共に、伝送障害の有無の問合せ電文に対する応答電文が下位のスレーブ親局装置から伝送されなかった場合には、下位のスレーブ親局装置との間に伝送障害が生じたと判断すると共に、所定の時間が経過しても下位のスレーブ親局装置から問合せ電文が伝送されなかった場合には、下位のスレーブ親局装置からの伝送路に伝送障害が生じたと判断し、下位のスレーブ親局装置から問合せ電文が伝送されてきた場合には、下位のスレーブ親局装置への伝送路に伝送障害が生じたと判断し、判断した伝送障害の情報を上位のスレーブ装置へ伝送するようにしたものである。
【発明の効果】
【０００９】
本発明によれば、マスタ親局（最上位の親局）とそれに従属して接続されている親局であるスレーブ親局間で伝送が行われる場合、その伝送路に伝送障害が生じた場合、マスタ親局からスレーブ親局への伝送路での伝送障害か、スレーブ親局からマスタ親局への伝送路での伝送障害か、という具体的な伝送障害が生じた伝送路を特定することができる。
【発明を実施するための最良の形態】
【００１０】
マスタ親局装置とスレーブ親局装置間、または上位スレーブ親局装置と下位スレーブ親局装置間で伝送障害の有無を問合せ電文や応答電文として相互にやり取りすることで実現した。
【実施例１】
【００１１】
この発明の第１の実施形態は、子局装置を複数備えたマスタ親局装置が電話回線網を介して監視制御装置に接続され、子局装置を複数備えたスレーブ親局装置が光通信ケーブルによりマスタ親局装置に接続されて構成される情報伝送装置であって、マスタ親局装置は、伝送障害の有無を問合せ電文としてスレーブ親局装置に伝送し、スレーブ親局装置は、マスタ親局装置からの伝送障害の有無の問合せ電文に対して、伝送障害の有無を応答電文としてマスタ親局装置に伝送すると共に、所定の時間が経過してもマスタ親局装置から伝送障害の有無の問合せ電文が伝送されてこない場合には、マスタ親局装置に伝送障害の有無の問合せ電文が伝送されていないことを問合せ電文として伝送し、マスタ親局装置は、スレーブ親局装置から伝送障害の有無の応答電文が送られてこなかった場合には、マスタ親局装置とスレーブ親局装置間に伝送障害が生じたと判断すると共に、所定の時間が経過してもスレーブ親局装置から問合せ電文が伝送されなかった場合には、スレーブ親局装置からマスタ親局装置の伝送路に伝送障害が生じたと判断し、スレーブ親局装置から問合せ電文が伝送されてきた場合には、マスタ親局装置からスレーブ親局装置の伝送路に伝送障害が生じたと判断し、判断した伝送障害の情報を監視制御装置に伝送するようにしたものである。
【００１２】
本発明における情報伝送装置として、本実施例では光ＲＦ（ｒａｄｉｏ  ｆｒｅｑｕｅｎｃｙ）変換伝送装置を例に、以下に実施例を示す。図１は、親局間通信を伴う情報伝送装置である光ＲＦ変換伝送装置監視制御システムの構成例である。
【００１３】
図１において、光ＲＦ変換伝送装置監視制御システムは、監視側と光ＲＦ変換伝送装置側に分けられる。
監視側は、光ＲＦ変換伝送装置の状態を監視する監視制御装置（パソコン）１と一般電話回線経由の通信を行うためのモデム３により構成される。
光ＲＦ変換伝送装置側は、光ＲＦ変換伝送装置２とモデム４から構成され、光ＲＦ変換伝送装置２は、地下街やトンネル内等の不感エリアに対して設けられた携帯電話基地局装置の機能を備えた小型の基地局（特に図示せず）に接続される場合や、小型の基地局を内蔵（特に図示せず）した場合がある。光ＲＦ変換伝送装置２は、携帯電話基地局装置の機能を備えた小型の基地局からの信号（下り）を光データに変換して光ケーブルにより分配配信すると共に、子局装置からの信号（上り）を光データからＲＦ信号に変換後に携帯電話基地局装置へ伝送する親局装置（マスタ）１００・２００または親局装置（スレーブ）１０１・２０１を備え、親局装置（マスタ）１００・２００および親局装置（スレーブ）１０１・２０１は、いずれも同じ装置であり、モデムと通信を行うための機能を有しているが、そのうちの一つをマスタ親局（最上位の親局）と位置づけて、例えば、監視側と一般電話回線経由の通信を行うためのモデム４が接続された場合の親局装置が（マスタ）１００・２００となり、親局装置（マスタ）と親局装置（スレーブ）は、親局装置間の伝送のために、光伝送路である親局装置間通信専用線１１０により相互に接続されている。また、各親局装置には、例えば子局装置として子局装置１〜１６が光伝送路を介して接続されており、各子局装置は、親局装置からの信号（下り）である光データをＲＦ信号に変換後にアンテナより出力するすると共に、携帯電話端末装置等からの信号（上り）であるＲＦ信号を光データに変換し、光ケーブルにより親局装置（マスタ）、または親局装置（スレーブ）へ伝送する。
【００１４】
親局装置間通信専用線１１０を介して、親局装置（マスタ）１００・２００が親局装置（スレーブ）１０１・２０１の装置状態を取得することにより、いずれかの装置に状態変化があった場合にも、１本の一般電話回線と１台のモデム４だけで監視側へ状態変化の通知を行うことができる。尚、親局装置（マスタ）１００・２００と親局装置（スレーブ）１０１・２０１の間での伝送は、定期的に親局装置（マスタ）１００・２００から問い合わせてもよいし、状態変化が発生した時点で、親局装置（スレーブ）１０１・２０１から親局装置（マスタ）１００・２００に通知しても良い。
【００１５】
図２及び図３を用いて、本発明の特徴部分を更に詳細に説明する。
図２に示す親局装置（マスタ）１００は、図１でいう親局装置間通信専用線１１０がデータ送信用（相手装置は受信用）通信線１０２とデータ受信用（相手装置は送信用）通信線１０３として、相手の親局装置（スレーブ）１０１との伝送を実現している。
ここで、図３に示すように、親局装置間通信専用線であるデータ送信用（相手装置は受信用）通信線１０２とデータ受信用（相手装置は送信用）通信線１０３を介して行う通信電文中に、二重線で囲んだ部分に示すような通信障害有無情報を新たに付加する。
マスタ親局装置である親局装置（マスタ）１００は、伝送障害の有無を問合せ電文としてスレーブ親局装置である親局装置（スレーブ）１０１に伝送し、親局装置（スレーブ）１０１は、親局装置（マスタ）１００からの伝送障害の有無の問合せ電文に対して、伝送障害の有無を応答電文として親局装置（マスタ）１００に伝送すると共に、所定の時間が経過しても親局装置（マスタ）１００から伝送障害の有無の問合せ電文が伝送されてこない場合には、親局装置（マスタ）１００に伝送障害の有無の問合せ電文が伝送されていないことを問合せ電文として伝送し、親局装置（マスタ）１００は、親局装置（スレーブ）１０１から伝送障害の有無の応答電文が送られてこなかった場合には、親局装置（マスタ）１００と親局装置（スレーブ）１０１間に伝送障害が生じたと判断すると共に、所定の時間が経過しても親局装置（スレーブ）１０１から問合せ電文が伝送されなかった場合には、親局装置（スレーブ）１０１から親局装置（マスタ）１００の伝送路に伝送障害が生じたと判断し、親局装置（スレーブ）１０１から問合せ電文が伝送されてきた場合には、親局装置（マスタ）１００から親局装置（スレーブ）１０１の伝送路に伝送障害が生じたと判断し、判断した伝送障害の情報を監視制御装置に伝送する。
【００１６】
上記のようにすることで、親局装置間通信専用線であるデータ送信用（相手装置は受信用）通信線１０２とデータ受信用（相手装置は送信用）通信線１０３のいずれか一本の通信線に断線等の伝送障害が発生した場合、親局装置間で相互の情報授受を行うことにより、どちらの通信線に伝送障害が発生したのかを各親局装置は相互に認識できるようになると共に、どちらの通信線に伝送障害が発生したのかを監視制御装置にも親局装置（マスタ）１００から伝送障害として伝送できる。
【実施例２】
【００１７】
この発明の第２の実施形態は、上記第１の実施形態の情報伝送装置であって、さらにスレーブ親局装置には、複数のスレーブ親局装置が従属的に接続され、スレーブ親局装置は、マスタ親局装置からの伝送障害の有無の問合せ電文を順次下位のスレーブ親局装置に伝送すると共に、伝送障害の有無の問合せ電文に対する応答電文が下位のスレーブ親局装置から伝送されなかった場合には、下位のスレーブ親局装置との間に伝送障害が生じたと判断すると共に、所定の時間が経過しても下位のスレーブ親局装置から問合せ電文が伝送されなかった場合には、下位のスレーブ親局装置からの伝送路に伝送障害が生じたと判断し、下位のスレーブ親局装置から問合せ電文が伝送されてきた場合には、下位のスレーブ親局装置への伝送路に伝送障害が生じたと判断し、判断した伝送障害の情報を上位のスレーブ装置へ伝送するするようにしたものである。
【００１８】
上記説明した、第１の実施形態の情報伝送装置と同じ図１を用いて説明する。上記第１の実施形態の説明では、親局装置（マスタ）１００・２００及び親局装置（スレーブ）１０１・２０１について、特に親局装置（マスタ）１００と親局装置（スレーブ）１０１との関係を具体的に説明したが、本実施例でも同様の構成は備えている。特に、本実施例で第１の実施形態と異なり特徴となるのは、スレーブ親局装置である親局装置（スレーブ）２０１には、、複数のスレーブ親局装置である親局装置（スレーブ）２０ｎが従属的に接続されている点である。これまで説明したとおり、親局装置（マスタ）１００・２００および親局装置（スレーブ）１０１・２０１は、いずれも同じ装置であるのと同様に親局装置（スレーブ）２０ｎも同じ装置であり、モデムと通信を行うための機能を有しているが、そのうちの一つをマスタ親局（最上位の親局）と位置づけて、例えば、監視側と一般電話回線経由の通信を行うためのモデム４が接続された場合の親局装置が（マスタ）２００となり、親局装置（マスタ）２００と親局装置（スレーブ）２０１は、親局装置間の伝送のために、光伝送路である親局装置間通信専用線１１０により相互に接続されており、更に親局装置（スレーブ）２０ｎは、光伝送路である親局装置間通信専用線１１０により親局装置（スレーブ）２０１に従属的に接続されている。また、親局装置（スレーブ）２０ｎにも、例えば子局装置として子局装置１〜１６が光伝送路を介して接続されており、各子局装置は、親局装置からの信号（下り）である光データをＲＦ信号に変換後にアンテナより出力するすると共に、携帯電話端末装置等からの信号（上り）であるＲＦ信号を光データに変換し、親局装置（スレーブ）２０１へ伝送する。
親局装置（スレーブ）２０１と、親局装置（スレーブ）２０ｎの通信も、親局装置間通信専用線であるデータ送信用（相手装置は受信用）通信線とデータ受信用（相手装置は送信用）通信線を介して行う通信電文中に、通信障害有無情報を新たに付加する。つまり、ここでは具体的な説明を省くが、上記第１の実施形態の情報伝送装置として、図２及び図３を用いて、特徴部分を更に詳細に説明したが、そこで説明した親局装置（マスタ）１００と親局装置（スレーブ）１０１の関係を、親局装置（スレーブ）２０１と親局装置（スレーブ）２０ｎと置き換えたものと同じである。つまり、上位の親局装置と下位の親局装置は、同様の電文のやり取りで通信障害有無情報を判断し、下位に接続される親局装置が多数有る場合には、直近の上位の親局装置と下位の親局装置で通信障害有無情報を相互に授受することと、親局装置自身の下位の通信障害有無情報を順次上位の親局装置に電文として付加していけば、複数の親局装置から構成される場合でも、最下位の親局装置の情報が最上位の親局装置まで伝送されることになる。
【００１９】
上記のようにすることで、各親局装置が接続された親局装置間通信専用線であるデータ送信用（相手装置は受信用）通信線とデータ受信用（相手装置は送信用）通信線が複数からなっている場合でも、いずれか一本の通信線に断線等の伝送障害が発生した場合、最下位の親局装置から順次上位の親局装置に情報授受したものを追加して上位の親局装置に伝送することにより、何処の通信線に伝送障害が発生したのかを各親局装置は相互に認識できるようになると共に、どこの通信線に伝送障害が発生したのかを監視制御装置にも親局装置（マスタ）２００から伝送障害として伝送できる。
【図面の簡単な説明】
【００２０】
【図１】本発明に係わる情報伝送装置として、光ＲＦ変換伝送装置を例にした、光ＲＦ変換伝送装置監視制御システム構成例す概略構成図。
【図２】親局装置間通信専用線構成
【図３】本発明の親局間通信の通信電文例図
【符号の説明】
【００２１】
１…監視制御装置（パソコン）、２…光ＲＦ変換伝送装置、３・４…モデム、１００・２００…親局装置（マスタ）、１０１・２０１・２０ｎ…親局装置（スレーブ）、１０２…データ送信用（相手装置は受信用）通信線、１０３…データ受信用（相手装置は送信用）通信線、１１０…親局装置間通信専用線
【図１】
2007028199.tif 000003
【図２】
2007028199.tif 000004
【図３】
2007028199.tif 000005